(57)【要約】【課題】食器皿を積層した状態で、重労働を伴うことなく、外部からの操作により洗浄前の食器皿を任意のタイミングで開口部を介して投入でき、また洗浄後の食器皿を任意のタイミングで食器皿案内体に収容保持できる食器皿案内体を提供すること。【解決手段】筐体３の上面に載置した食器皿案内体１５より筐体３の開口部４を介して食器皿２が投入または食器皿案内体１５へ排出される食器皿洗浄装置１における食器皿案内体１５であって、前記食器皿案内体１５は食器皿２を積層した状態で収納保持できる皿ストッパー２０を有し、該皿ストッパー２０は前記食器皿案内体１５に設けた外部操作体２１により食器皿２の保持が開放できるように食器皿案内体１５を構成する。【選択図】  図５
2004222775.tif 000002
【特許請求の範囲】
【請求項１】
筐体の上面に載置した食器皿案内体より筐体の開口部を介して食器皿が投入または食器皿案内体へ排出される食器皿洗浄装置における食器皿案内体であって、前記食器皿案内体は食器皿を積層した状態で収納保持できる皿ストッパーを有し、該皿ストッパーは前記食器皿案内体に設けた外部操作体により食器皿の保持が開放可能であることを特徴とする食器皿洗浄装置における食器皿案内体。
【請求項２】
前記食器皿案内体は、前記開口部と略同径の円筒内面を有する筒状体と、該筒状体より鉛直方向に延びる複数のガイドバーとで構成され、かつ前記筒状体内面に皿ストッパーを、筒状体外面に外部操作体を設けた請求項１に記載の食器皿洗浄装置における食器皿案内体。
【請求項３】
前記皿ストッパーが、複数の係止片で構成され、一つの外部操作体で複数の係止片が作動する請求項２に記載の食器皿洗浄装置における食器皿案内体。
【請求項４】
前記食器皿案内体は運搬可能で、前記開口部に着脱自在に取り付けることができる請求項１ないし３の何れかに記載の食器皿洗浄装置における食器皿案内体。
【請求項５】
前記食器皿案内体の下部には、前記開口部に嵌合させることができる嵌合体を設けた請求項４に記載の食器皿洗浄装置における食器皿案内体。
【請求項６】
前記筒状体外面に取手を設けた請求項４または５に記載の食器皿洗浄装置における食器皿案内体。
【発明の詳細な説明】
【０００１】
【発明の属する技術分野】
本発明は、筐体の上面に設けた食器皿案内体より筐体の開口部を介して投入または排出される食器皿洗浄装置における食器皿案内体に関する。
【０００２】
【従来の技術】
従来、寿司などの飲食物を載置する食器皿などを、人手を煩わすことなく自動的に洗浄する食器洗浄装置が使用されている。この種の食器洗浄装置は特許文献１に記載されているように、上面に食器皿の投入口と排出口とが形成された筐体内に、食器皿が洗浄部を通過するための搬送部が投入口から排出口に延びるように設けられ、投入口と排出口の下方には食器皿を挿通可能な案内筒が搬送部に向けて設置されている。そして、投入口と排出口の周囲には複数のガイドバーが等配状態に立設している。（例えば、特許文献１参照）
【０００３】
また、積層された皿を他の場所へ運搬する時に用いる皿の移し換え具として、皿を収納できる筒体の下部にホルダー爪を回動可能に配設するとともに、筒体上端面に受止腕を設置し、積層された皿を筒体内に、ホルダー爪と受止腕で挟み込むようにして収納し、運搬できるようにさせたものがある。（例えば、特許文献２参照）
【０００４】
【特許文献１】
特開平２００２−８６０９１号公報（段落００１４−００１７、図２、４）
【特許文献２】
実開昭５９−４９８５号公報（第２頁、図１、２）
【０００５】
【発明が解決しようとしている課題】
しかしながら、前記特許文献１にあっては、このように構成された食器洗浄装置の開口部では、洗浄前及び洗浄後の食器皿は、ガイドバーに沿って上下方向に投入または排出せざるを得なかった。そのため作業者は食器皿を食器洗浄装置の上部に固定されているガイドバーの上方まで持ち上げて、ガイドバーの配置状態に合わせて投入または排出しており、重労働を伴う作業であった。
【０００６】
また、前記特許文献２にあっては、筒体に収容した積層された皿を皿受け筒に移すのにホルダー爪を内部から操作しなければならず、食器皿洗浄装置の投入に適用するには不便であり、また受止腕が筒体上端面に設置されているために、筒体の上方から皿を出し入れ難かった。
【０００７】
本発明は、上記事情に鑑みてなされたもので、食器皿を積層した状態で、重労働を伴うことなく、外部からの操作により洗浄前の食器皿を任意のタイミングで開口部を介して投入でき、また洗浄後の食器皿を任意のタイミングで食器皿案内体に収容保持できる食器皿案内体を提供することを目的とする。
【０００８】
【課題を解決するための手段】
上記の目的を解決するために、本発明の食器皿洗浄装置における食器皿案内体は、筐体の上面に載置した食器皿案内体より筐体の開口部を介して食器皿が投入または食器皿案内体へ排出される食器皿洗浄装置における食器皿案内体であって、前記食器皿案内体は食器皿を積層した状態で収納保持できる皿ストッパーを有し、該皿ストッパーは前記食器皿案内体に設けた外部操作体により食器皿の保持が開放可能であることを特徴としている。
この特徴によれば、外部操作体の操作により洗浄前の食器皿を任意のタイミングで開口部を介して投入でき、また洗浄後の食器皿を任意のタイミングで食器皿案内体に収容保持できる。
【０００９】
本発明の食器皿洗浄装置における食器皿案内体において、前記食器皿案内体は、前記開口部と略同径の円筒内面を有する筒状体と、該筒状体より鉛直方向に延びる複数のガイドバーとで構成され、かつ前記筒状体内面に皿ストッパーを、筒状体外面に外部操作体を設けることが好ましい。
このようにすれば、筒状体に皿ストッパーと外部操作体を設けることで、簡素で使い勝手の良い食器皿案内体を構築できる。
【００１０】
本発明の食器皿洗浄装置における食器皿案内体において、前記皿ストッパーが、複数の係止片で構成され、一つの外部操作体で複数の係止片が作動するのが好ましい。
このようにすれば、食器皿の投入や排出後の積層保持が片手で操作できる。
【００１１】
本発明の食器皿洗浄装置における食器皿案内体において、前記食器皿案内体は運搬可能で、前記開口部に着脱自在に取り付けることができるのが好ましい。
このようにすれば、前記食器皿案内体は、積層された食器皿を筐体内に投入する際には、食器皿を食器皿案内体に収納した状態で筐体の開口部まで運搬し、食器皿案内体を開口部に取り付けてから、皿ストッパーを開放することで、食器皿を投入させることができるばかりか、食器皿を筐体内から排出する際には、開口部から排出された食器皿を食器皿案内体に収納してから、皿ストッパーを閉鎖させることで、積層された食器皿を食器皿案内体ごと筐体の開口部から取り外して運搬させることができる。
【００１２】
本発明の食器皿洗浄装置における食器皿案内体において、前記食器皿案内体の下部には、前記開口部に嵌合させることができる嵌合体を設けるのが好ましい。
このようにすれば、簡素な構造で、食器皿案内体を容易に開口部の上部に取り付け、取り外しができる。
【００１３】
本発明の食器皿洗浄装置における食器皿案内体において、前記筒状体外面に取手を設けるのが好ましい。
このようにすれば、しっかりした構造の筒状体に取手が取り付けられているので安定して食器皿を運搬できる。
【００１４】
【発明の実施の形態】
以下、本発明の実施例を図面に基づいて説明すると、先ず図１には本発明の実施例としての食器皿洗浄装置の全体像を示す側断面図であり、図２は図１の食器皿洗浄装置における食器皿投入口の拡大側断面図であり、図３は食器皿洗浄装置における食器皿案内体の斜視図であり、図４（ａ）は食器皿案内体の皿ストッパーが閉鎖された状態を示す上断面図であり、（ｂ）は食器皿案内体の皿ストッパーが開放された状態を示す上断面図であり、図５は食器皿案内体の使用例を示す斜視図である。
【００１５】
先ず図１には、本発明の適用された食器皿洗浄装置が示されており、符号１は食器皿洗浄装置であって、この食器皿洗浄装置１は、密閉された略直方体の筐体３内の洗浄部に装置類が収容されており、洗浄部には食器皿２を一方から他方に搬送する搬送スクリュウ８が配設されている。
【００１６】
図１を用いて詳述すると、この食器皿洗浄装置１は、複数のガイドバー１４内に洗浄前の積層された食器皿２をストックするための食器皿案内体１５が、ケース状の筐体３の左側端部に有する開口部としての投入口４上部に設けられ、投入口４下部には、洗浄前の食器皿２を案内して供給するための投入案内筒５と、その直下に設けられ、投入案内筒５内の食器皿２を、下端のものより１枚ずつ挟持して落下させる１対の溝６付きの供給ローラ７と、その直下に左右方向を向いて平行に設けられ、上記供給ローラ７より順次１枚ずつ落下された食器皿２の外周縁部を螺旋溝により受支して右方に搬送する左右１対の搬送スクリュウ８と、搬送中の食器皿２の上下両面を払拭する上下１対の回転ブラシ９と、両回転ブラシ９と食器皿２との接触部に向かって水、温水又は洗浄液等を噴射する上下１対の洗浄ノズル１０と、食器皿２の上下両面に圧縮空気（又は温風圧）を吹き付けることにより乾燥させる上下１対のエアノズル１１と、搬送スクリュウ８の右側端と近接する側方に上下動可能に設けられ、乾燥後の食器皿２を上方に押し上げる押上げ排出装置１２と、筐体３の右側端部に設けられ、押上げ排出装置１２により押し上げられた洗浄後の食器皿２を順次１枚ずつ収容し、図示しない支持爪により下降を防止して上方の開口部としての排出口４’まで案内するとともに、筐体３の上面に立設した食器皿案内体１５’の複数のガイドバー１４’内にストックして積層するための排出案内筒１３を備えている。
【００１７】
投入口４近傍について更に詳しく述べると、図２に示すように、筐体３の天板１６に形成された開口部としての投入口４の上方に、洗浄前の食器皿２を挿通させるための食器皿案内体１５が、天板１６の上面に着脱自在に取り付けられている。食器皿案内体１５には、内部を通過する洗浄前の食器皿２を下方に案内するための複数のガイドバー１４が鉛直方向に延びており、これらガイドバー１４の内側には供給された複数の洗浄前の食器皿２が積載されている。
【００１８】
図２に示されるように、食器皿案内体１５の下方には、投入された複数の食器皿２を積載状態に支持させるとともに、１枚づつ分離して搬送スクリュウ８上に落下させる、周知の供給ローラ７が配置されており、食器皿案内体１５の複数のガイドバー１４に案内されて積載支持された複数の食器皿２が、供給ローラ７で１枚づつ分離され、搬送スクリュウ８に投下される。
【００１９】
筐体３の天板１６の投入口４に載置させた食器皿案内体１５について詳述すると、図３に示すように、食器皿案内体１５は筐体３と別体として用意することができ、食器皿案内体１５は投入口４と略同径の円筒内面を有する筒状体１７を有し、筒状体１７の上面より鉛直方向に延びる４本のガイドバー１４とで構成され、筒状体１７の外周面には、取手１８が取り付けられている。この取手１８を掴むことにより、食器皿２を食器皿案内体１５に収納した状態で、容易に持ち運ぶことができるばかりか、しっかりした構造の筒状体１７に取手１８が取り付けられているので安定して食器皿２を運搬できるようになっている。
【００２０】
また、この筒状体１７の下部には、投入口４の内周と同径の外周を成す嵌合体１９を有し、この嵌合体１９は、投入口４に嵌合することができるので、簡素な構造で、食器皿案内体１５を容易に投入口４の上部に取り付け、取り外しが可能になっている。そのため食器皿案内体１５を筐体３から分離させた状態で、食器皿２を食器皿案内体１５に入れることができ、かつ食器皿案内体１５から取り出すこともできるようになっている。
【００２１】
更に図３に示すように、筒状体１７の内周面には、皿ストッパーとしての複数の係止片２０が配置されており、食器皿２を確実に食器皿案内体１５に収納した状態で保持させることができるようになっている。筒状体１７の外周面には、係止片２０を操作するための外部操作体としてのレバー２１が設けられており、このレバー２１を手動で操作することにより、係止片２０を開放及び閉鎖させることが可能になっている。
【００２２】
図４を用いて食器皿案内体１５の皿ストッパーとしての係止片２０についてより詳しく説明すると、（ａ）は係止片２０が閉鎖された状態を示し、筒状体１７は、外筒体２２と内筒体２３の二重構造となっており、内筒体２３からは、外部操作体としてのレバー２１が筒状体１７の外側に向かって延設されており、このレバー２１は、外筒体２２に設けられた孔部２４から筒状体１７の外方に突出している。
【００２３】
筒状体１７の内側には、係止片２０が４箇所に配置されており、係止片２０は上面視で略半円形を成し、外筒体２２の内周に取り付けられたバネ２５により、筒状体１７の内側に向かって常時押圧されており、内筒体２３に設けられた孔部２６から筒状体１７の内方に突出している。
【００２４】
（ｂ）は皿ストッパーとして係止片２０が開放された状態を示しており、レバー２１を矢印の方向に動かすことで、内筒体２３が回転し、内筒体２３に設けられた孔部２６の位置がずれることで係止片２０が筒状体１７の内部に収納される。そのため食器皿２を筒状体１７の上方から下方に通過させることができるばかりか、筒状体１７の下方から上方に通過させることもできるようになる。
【００２５】
また、皿ストッパーとして係止片２０を閉鎖させる際には、レバー２１を（ａ）の矢印の方向に動かすことで、内筒体２３が回転し、内筒体２３に設けられた孔部２６の位置が係止片２０に対応するので、内筒体２３に設けられた孔部２６から筒状体１７の内方に突出させることができ、そのため食器皿２を食器皿案内体１５内に確実に保持させることができるようになり、食器皿２を食器皿案内体１５に収納した状態で運搬させることができるようになる。
【００２６】
このような構成によれば、筒状体１７に皿ストッパーとしての複数の係止片２０と外部操作体としてのレバー２１を設けることで、簡素で使い勝手の良い食器皿案内体１５を構築でき、一つのレバー２１を操作することにより、複数の係止片２０を作動させることができるので、食器皿２の投入や排出後の積層保持が片手で操作できるばかりか、レバー２１の操作により洗浄前の食器皿２を任意のタイミングで投入口４を介して投入でき、洗浄後の食器皿２を任意のタイミングで食器皿案内体１５に収容保持できようになっている。
【００２７】
積層された洗浄前の食器皿２を筐体内に投入する際には、図５に示すように、複数の食器皿案内体１５を用意しておき、それぞれの食器皿案内体１５の皿ストッパーを閉鎖させておき、この食器皿案内体１５を筐体３から分離させた状態で、洗浄前の食器皿２を食器皿案内体１５に挿入して積層させる。積層された食器皿２を食器皿案内体１５に収納した状態で、筐体３の天板１６に設けられた開口部としての投入口４まで運搬し、食器皿案内体１５を投入口４の上部に載置して取り付けてから、皿ストッパーを開放させることで、積層された食器皿２を筐体３内に投入させることができるので、重労働を伴うことなく容易に積層された食器皿２を食器皿洗浄装置１に投入させることができるようになっている。
【００２８】
また、図５に示すように複数の食器皿案内体１５を用意しておくことで、洗浄前の食器皿２をそれら食器皿案内体１５にストックさせておき、次々に洗浄前の積層された食器皿２を食器皿洗浄装置１まで運搬して、投入させることができるようになるので、作業効率が良くなる。
【００２９】
上記実施形態は、筐体３の投入口４に取り付けられている食器皿案内体１５について説明してきたが、図１に示すように、筐体３の開口部としての排出口４’にも食器皿案内体１５’が設けられており、洗浄後の積層した食器皿２を排出する際についても同様に使用することができるようになっている。
【００３０】
洗浄後の食器皿２が食器皿洗浄装置１から排出される際には、複数の食器皿案内体１５’を用意しておき、食器皿案内体１５’の皿ストッパーを開放させた状態で排出口４’の上部に設置し、その後に洗浄後の食器皿２が排出装置１２により下方から持ち上げられることで、排出口４’から筐体３の外方に排出され、食器皿案内体１５’にストックされることになる。
【００３１】
一定枚数の洗浄後の食器皿２が食器皿案内体１５’にストックされた後、食器皿案内体１５’の皿ストッパーを閉鎖させることで、洗浄後の積層された食器皿２を食器皿案内体１５’ごと筐体３の排出口４’から取り外して運搬させることができ、容易に積層された食器皿２を食器皿洗浄装置１から排出させることができるようになっている。食器皿案内体１５’を排出口４’から取り外した後、別の食器皿案内体１５’を排出口４’の上部に設置すれば、次々に食器洗浄装置１から排出される洗浄後の食器皿２を移動させることができるようになる。
【００３２】
以上、本発明の実施例を図面により説明してきたが、具体的な構成はこれら実施例に限られるものではなく、本発明の要旨を逸脱しない範囲における変更や追加があっても本発明に含まれる。例えば、食器皿案内体が運搬可能なものとして説明してきたが、食器皿案内体が投入口に固定されて取り付けられており、外部操作体で食器皿の保持を開放するようにしてもよい。
【００３３】
【発明の効果】
本発明は以下の効果を奏する。
（ａ）請求項１に記載の発明によれば、外部操作体の操作により洗浄前の食器皿を任意のタイミングで開口部を介して投入でき、また洗浄後の食器皿を任意のタイミングで食器皿案内体に収容保持できる。
【００３４】
（ｂ）請求項２に記載の発明によれば、筒状体に皿ストッパーと外部操作体を設けることで、簡素で使い勝手の良い食器皿案内体を構築できる。
【００３５】
（ｃ）請求項３に記載の発明によれば、食器皿の投入や排出後の積層保持が片手で操作できる。
【００３６】
（ｄ）請求項４に記載の発明によれば、前記食器皿案内体は、積層された食器皿を筐体内に投入する際には、食器皿を食器皿案内体に収納した状態で筐体の開口部まで運搬し、食器皿案内体を開口部に取り付けてから、皿ストッパーを開放することで、食器皿を投入させることができるばかりか、食器皿を筐体内から排出する際には、開口部から排出された食器皿を食器皿案内体に収納してから、皿ストッパーを閉鎖させることで、積層された食器皿を食器皿案内体ごと筐体の開口部から取り外して運搬させることができる。
【００３７】
（ｅ）請求項５に記載の発明によれば、簡素な構造で、食器皿案内体を容易に開口部の上部に取り付け、取り外しができる。
【００３８】
（ｆ）請求項６に記載の発明によれば、しっかりした構造の筒状体に取手が取り付けられているので安定して食器皿を運搬できる。
【図面の簡単な説明】
【図１】本発明の実施例としての食器皿洗浄装置の全体像を示す側断面図である。
【図２】食器皿洗浄装置における食器皿投入口の拡大側断面図である。
【図３】食器皿洗浄装置における食器皿案内体の斜視図である。
【図４】（ａ）は食器皿案内体の皿ストッパーが閉鎖された状態を示す上断面図であり、（ｂ）は食器皿案内体の皿ストッパーが開放された状態を示す上断面図である。
【図５】図５は食器皿案内体の使用例を示す斜視図である。
【符号の説明】
１              食器皿洗浄装置
２              食器皿
３              筐体
４              投入口
４’            排出口
５              投入案内筒
６              溝
７              供給ローラ
８              搬送スクリュウ
９              回転ブラシ
１０            洗浄ノズル
１１            エアノズル
１２            排出装置
１３            排出案内筒
１４、１４’    ガイドバー
１５、１５’    食器皿案内体
１６            天板
１７            筒状体
１８            取手
１９            嵌合体
２０            係止片
２１            レバー
２２            外筒体
２３            内筒体
２４            孔部
２５            バネ
２６            孔部
【図１】
2004222775.tif 000003
【図２】
2004222775.tif 000004
【図３】
2004222775.tif 000005
【図４】
2004222775.tif 000006
【図５】
2004222775.tif 000007